(57)【要約】【課題】印刷済みの用紙（印刷物）を衝立を介して立て看板形式で表示する。【解決手段】筐体２０と、ロール状の用紙Ｐに印刷情報を印刷する印刷手段３０と、印刷手段により印刷された印刷物Ｐｎを筐体２０の印刷物排出口２０ａから排出させるための印刷物排出ローラ対９３と、印刷物排出ローラ対９３で印刷物Ｐｎを印刷物排出口２０ａから排出している最中に印刷物の後端近傍が印刷物排出ローラ対９３に至ったときに、印刷物Ｐｎの排出を停止して印刷物の後端近傍を印刷物排出ローラ対９３でニップして保持するように制御する制御手段１００と、印刷物排出ローラ対９３により印刷物Ｐｎの後端近傍をニップされている部位よりも先端側を印刷物排出口２０ａよりも外側に露出させて、露出された印刷物Ｐｎを立たせて支える起立位置と、立たせて支えない収納位置との間を移動可能に設置された衝立２３と、を備えたプリンタ１０を提供する。【選択図】図２
2015151219.tif 000002
【特許請求の範囲】
【請求項１】
筐体と、
前記筐体内に装填されたロール状の用紙に印刷情報を印刷する印刷手段と、
前記印刷手段により印刷された印刷物を前記筐体の印刷物排出口から排出させるための印刷物排出ローラ対と、
前記印刷物排出ローラ対で前記印刷物を前記印刷物排出口から排出している最中に該印刷物の後端近傍が該印刷物排出ローラ対に至ったときに、前記印刷物の排出を停止して該印刷物の後端近傍を前記印刷物排出ローラ対でニップして保持するように制御する制御手段と、
前記印刷物排出ローラ対により前記印刷物の後端近傍をニップされている部位よりも先端側を前記印刷物排出口よりも外側に露出させて、前記露出された印刷物を立たせて支える起立位置と、立たせて支えない収納位置との間を移動可能に設置された衝立と、
前記衝立を移動させる衝立移動手段と、
を備えたことを特徴とするプリンタ。
【請求項２】
筐体と、
前記筐体内に装填されたロール状の用紙の一方の面に印刷情報を印刷する印刷手段と、
前記印刷手段よりも用紙搬送方向の下流側で印刷済みの用紙の他方の面と対向した位置に配置された転写ローラ、及び、前記転写ローラに巻き付けられて該転写ローラ側とは反対側に粘着剤を付着させた粘着剤テープを有する粘着剤転写具と、
前記印刷済みの用紙及び前記粘着剤テープを介して前記転写ローラに接離可能に設けられ、接触時に前記転写ローラを押圧して該転写ローラとの間で前記印刷済みの用紙及び前記粘着剤テープを挟持搬送しながら該印刷済みの用紙の他方の面に前記粘着剤を転写させるための粘着剤転写用プラテンローラと、
前記粘着剤転写用プラテンローラを前記転写ローラに接離させる粘着剤転写用プラテンローラ接離手段と、
前記印刷手段よりも用紙搬送方向の下流側又は前記転写ローラよりも用紙搬送方向の下流側に設置され、前記印刷済みの用紙を所望の長さに切断する切断手段と、
前記切断手段で切断された印刷物を前記筐体の印刷物排出口から排出させるための印刷物排出ローラ対と、
前記印刷情報に基づいて前記粘着剤を転写させた第１の印刷物と、前記粘着剤を転写させない第２の印刷物とが選択的に得られるように前記粘着剤転写用プラテンローラ接離手段を制御すると共に、前記第１の印刷物を前記印刷物排出口から排出するように前記印刷物排出ローラ対を制御するも、前記印刷物排出ローラ対で前記第２の印刷物を前記印刷物排出口から排出している最中に該第２の印刷物の後端近傍が該印刷物排出ローラ対に至ったときに、前記第２の印刷物の排出を停止して該第２の印刷物の後端近傍を前記印刷物排出ローラ対でニップして保持するように制御する制御手段と、
前記印刷物排出ローラ対により前記第２の印刷物の後端近傍をニップされている部位よりも先端側を前記印刷物排出口よりも外側に露出させて、前記露出された第２の印刷物を立たせて支える起立位置と、立たせて支えない収納位置との間を移動可能に設置された衝立と、
前記衝立を移動させる衝立移動手段と、
を備えたことを特徴とするプリンタ。
【請求項３】
前記筐体には前記プリンタの設置姿勢を検出する設置姿勢検出器が取り付けられており、前記設置姿勢検出器の検出情報を前記制御手段で検出したときに、前記制御手段は前記プリンタの設置姿勢に応じて前記印刷情報を前記ロール状の用紙上で見やすい方向に印刷することを特徴とする請求項１又は請求項２に記載のプリンタ。
【発明の詳細な説明】
【技術分野】
【０００１】
本発明は、ロール状の用紙に印刷情報を印刷手段により印刷した印刷物の後端近傍を印刷物排出ローラ対で保持して、この印刷物の後端近傍以外の部位を筐体の印刷物排紙口よりも外側に露出させて衝立を介して立て看板形式で表示できるプリンタに関する。
【背景技術】
【０００２】
一般的に、小型で軽量のプリンタは、消費電力が小さく、使い勝手が良いので多用されている。
【０００３】
この種のプリンタの一例として、ロール状に巻回した記録紙上にメモとして残しておきたい情報を印刷した後に、印刷済みの記録紙上に粘着剤を転写し且つ粘着剤を転写した記録紙を所望の長さに切断して、付箋紙などの印刷物を作成できるプリンタがある（例えば、特許文献１参照）。
【０００４】
上記特許文献１に開示されたプリンタは、ここでの図示を省略するが、プリンタ本体部内に、ロール状に巻回した記録紙を装填するロール紙装填部と、このロール紙装填部よりも下流側でロール状の記録紙にメモなどの印刷情報を印刷する記録ヘッド（サーマルヘッド）と、この記録ヘッドに記録紙を介して接するプラテンローラと、印刷済みの記録紙を所望の長さに切断するオートカッターとを備えている。
【０００５】
また、オートカッターよりも下流側に粘着剤転写部と、この粘着剤転写部と対向した押圧機構とを備えている。
【０００６】
ここで、上記した粘着剤転写部は、供給ドラムと巻取ドラムとの間に粘着剤（例えば、糊）を付着させた粘着剤テープが巻回されている。また、供給ドラムと巻取ドラムとの間には、粘着剤テープのベースフィルム側に接するように転写ローラが、記録紙搬送方向と直交する記録紙幅方向に沿って設けられた一つの回転軸の中央部位に取り付けられていると共に、一つの回転軸上で転写ローラを挟んだ両端側に記録紙を搬送するための一対の繰り出しローラが取り付けられている。
【０００７】
一方、押圧機構は、平板状の加圧プラテン（押圧部材）がプランジャを介して粘着剤転写部の転写ローラに接離自在になっている。
【０００８】
上記のように構成した従来のプリンタでは、記録ヘッドとプラテンローラとの間でロール状の記録紙を挟持搬送しながらメモなどの印刷情報を印刷した後に、加圧プラテンを印刷済みの記録紙及び粘着剤テープを介して転写ローラ側に押圧して、粘着剤テープに付着させた粘着剤を印刷済みの記録紙上で記録紙幅方向の中央部位に転写すると共に、転写ローラ及び一対の繰り出しローラと加圧プラテンとで印刷済みの記録紙をニップしながらこの記録紙を下流側に向けて搬送し、更に、粘着剤を転写した記録紙をオートカッターにより所望の長さに切断することで、付箋紙などの印刷物を作成できることが記載されている。
【先行技術文献】
【特許文献】
【０００９】
【特許文献１】特開２０１１−２３５５９５号公報
【発明の概要】
【発明が解決しようとする課題】
【００１０】
ところで、特許文献１に開示されたプリンタは、印刷済みの記録紙上に粘着剤を転写して付箋紙などの印刷物を作成できるので、文房具又は事務用品の一種として例えばオフィス内で各ユーザの机上に載置して使用されている。
【００１１】
上記したプリンタは付箋紙などの印刷物を作成する目的で開発されているが、これ以外の使用目的を模索して多機能化を図ることが望まれている。
【００１２】
例えば、印刷済みの用紙に粘着剤を転写して付箋紙などの印刷物を作成する使用形態と、印刷済みの用紙に粘着剤を転写せずに印刷物を作成する使用形態とを選択的に取り得ることができれば、利便性が増すことは明白である。
【００１３】
更に、ユーザが外出先からスマートフォンなどを用いて、このユーザが現在不在中であることを無線で上記したプリンタに送信し、これを受けてプリンタは不在の情報を印刷して、周囲の人に知らせることができればより一層利便性を増すことができるので、多機能化が要望されている。
【００１４】
そこで、ロール状の用紙に印刷情報を印刷手段により印刷した印刷物の後端近傍を印刷物排出ローラ対で保持して、この印刷物の後端近傍以外の部位を印刷物排出口よりも外側に露出させて衝立を介して立て看板形式で表示できるプリンタを提供することを目的とする。更に、粘着剤を転写した印刷済みの用紙を付箋紙として作成する使用形態と、粘着剤を転写しない印刷物を立て看板形式で表示する使用形態とを選択できるプリンタを提供することを目的とする。
【課題を解決するための手段】
【００１５】
本発明は上記課題に鑑みてなされたものであり、第１の発明は、筐体と、
前記筐体内に装填されたロール状の用紙に印刷情報を印刷する印刷手段と、
前記印刷手段により印刷された印刷物を前記筐体の印刷物排出口から排出させるための印刷物排出ローラ対と、
前記印刷物排出ローラ対で前記印刷物を前記印刷物排出口から排出している最中に該印刷物の後端近傍が該印刷物排出ローラ対に至ったときに、前記印刷物の排出を停止して該印刷物の後端近傍を前記印刷物排出ローラ対でニップして保持するように制御する制御手段と、
前記印刷物排出ローラ対により前記印刷物の後端近傍をニップされている部位よりも先端側を前記印刷物排出口よりも外側に露出させて、前記露出された印刷物を立たせて支える起立位置と、立たせて支えない収納位置との間を移動可能に設置された衝立と、
前記衝立を移動させる衝立移動手段と、
を備えたことを特徴とするプリンタである。
【００１６】
また、第２の発明は、筐体と、
前記筐体内に装填されたロール状の用紙の一方の面に印刷情報を印刷する印刷手段と、
前記印刷手段よりも用紙搬送方向の下流側で印刷済みの用紙の他方の面と対向した位置に配置された転写ローラ、及び、前記転写ローラに巻き付けられて該転写ローラ側とは反対側に粘着剤を付着させた粘着剤テープを有する粘着剤転写具と、
前記印刷済みの用紙及び前記粘着剤テープを介して前記転写ローラに接離可能に設けられ、接触時に前記転写ローラを押圧して該転写ローラとの間で前記印刷済みの用紙及び前記粘着剤テープを挟持搬送しながら該印刷済みの用紙の他方の面に前記粘着剤を転写させるための粘着剤転写用プラテンローラと、
前記粘着剤転写用プラテンローラを前記転写ローラに接離させる粘着剤転写用プラテンローラ接離手段と、
前記印刷手段よりも用紙搬送方向の下流側又は前記転写ローラよりも用紙搬送方向の下流側に設置され、前記印刷済みの用紙を所望の長さに切断する切断手段と、
前記切断手段で切断された印刷物を前記筐体の印刷物排出口から排出させるための印刷物排出ローラ対と、
前記印刷情報に基づいて前記粘着剤を転写させた第１の印刷物と、前記粘着剤を転写させない第２の印刷物とが選択的に得られるように前記粘着剤転写用プラテンローラ接離手段を制御すると共に、前記第１の印刷物を前記印刷物排出口から排出するように前記印刷物排出ローラ対を制御するも、前記印刷物排出ローラ対で前記第２の印刷物を前記印刷物排出口から排出している最中に該第２の印刷物の後端近傍が該印刷物排出ローラ対に至ったときに、前記第２の印刷物の排出を停止して該第２の印刷物の後端近傍を前記印刷物排出ローラ対でニップして保持するように制御する制御手段と、
前記印刷物排出ローラ対により前記第２の印刷物の後端近傍をニップされている部位よりも先端側を前記印刷物排出口よりも外側に露出させて、前記露出された第２の印刷物を立たせて支える起立位置と、立たせて支えない収納位置との間を移動可能に設置された衝立と、
前記衝立を移動させる衝立移動手段と、
を備えたことを特徴とするプリンタである。
【００１７】
また、第３の発明は、上記した第１又は第２の発明のプリンタにおいて、
前記筐体には前記プリンタの設置姿勢を検出する設置姿勢検出器が取り付けられており、前記設置姿勢検出器の検出情報を前記制御手段で検出したときに、前記制御手段は前記プリンタの設置姿勢に応じて前記印刷情報を前記ロール状の用紙上で見やすい方向に印刷することを特徴とするプリンタである。
【発明の効果】
【００１８】
第１の発明のプリンタによると、とくに、印刷物排出ローラ対により印刷物の後端近傍をニップされている部位よりも先端側を印刷物排出口よりも外側に露出させて衝立を介して立て看板形式で表示させているので、プリンタの周囲の人に印刷物の表示内容（例えば、「不在」情報）を知らせることができる。また、立て看板表示手段の衝立は、筐体の印刷物排出口よりも外側に排出された印刷物を必要に応じて立たせて支える起立位置と、不要のときに収納する収納位置との間を衝立移動手段を介して移動可能に設置されているので、印刷物を立て看板形式で表示するときには衝立を起立させることができ、且つ、衝立が不要なときにこの衝立を邪魔にならないように収納できる。
【００１９】
また、第２の発明のプリンタによると、とくに、印刷情報に基づいて粘着剤を転写した印刷済みの用紙を付箋紙として作成する使用形態と、粘着剤を転写しない印刷物を立て看板形式で表示する使用形態とを制御手段を介して選択できるプリンタにおいて、立て看板表示手段の衝立は、筐体の印刷物排出口よりも外側に排出された印刷物を必要に応じて立たせて支える起立位置と、不要のときに収納する収納位置との間を衝立移動手段を介して移動可能に設置されているので、印刷物を立て看板形式で表示するときには衝立を起立させることができ、且つ、衝立が不要なときにこの衝立を邪魔にならないように収納できる。
【００２０】
また、第３の発明のプリンタによると、とくに、プリンタの設置姿勢（横置き,縦置き）を検出する設置姿勢検出器が取り付けられているので、プリンタの設置姿勢に応じて印刷時に文字方向を見やすい方向に設定できる。
【図面の簡単な説明】
【００２１】
【図１】（ａ），（ｂ）は本発明に係るプリンタの第１，第２使用形態を説明するための斜視図である。
【図２】本発明に係るプリンタの構成を示した構成図である。
【図３】図２に示した粘着剤転写具の転写ローラと、用紙搬送ローラと、粘着剤転写用プラテンローラとの位置関係を拡大して示した図である。
【図４】図２に示した制御手段と、パソコン及びスマートフォンとの接続状態を拡大して示した図である。
【図５】（ａ），（ｂ）は本発明に係るプリンタの第１使用形態において、粘着剤を転写した第１の印刷物を示した表面図，裏面図である。
【図６】本発明に係るプリンタの第１使用形態において、粘着剤を転写した第１の印刷物を作成して、この第１の印刷物を筐体の印刷物排出口から排出する状態を示した図である。
【図７】本発明に係るプリンタの第２使用形態において、粘着剤を転写していない第２の印刷物を示した表面図である。
【図８】本発明に係るプリンタの第２使用形態において、粘着剤を転写せずに第２の印刷物を作成して、この第２の印刷物を筐体の印刷物排出口の近傍に設けた衝立に立て看板形式で表示する状態を示した図である。
【図９】（ａ），（ｂ）は本発明に係るプリンタの設置姿勢（横置き，縦置き）に応じて印刷時に文字方向を変えた状態を説明するための図である。
【発明を実施するための形態】
【００２２】
以下に本発明に係るプリンタの一実施形態について、図１〜図９を参照して詳細に説明する。
【００２３】
図１は本発明に係るプリンタにおいて、（ａ）は印刷物を付箋紙として排出する第１使用形態を示し、（ｂ）は印刷物を立て看板形式で表示する第２使用形態を示している。
【００２４】
図１（ａ），（ｂ）に示す如く、本発明に係るプリンタ１０は、小型軽量で消費電力が小さく、且つ、メモなどの印刷情報を印刷できるメモプリンタとして構成されている。
【００２５】
この際、印刷情報は、このプリンタ１０に有線で接続されるパソコンＰＣ、又は、無線で接続されるスマートフォンＳＰなどにより入力可能になっている。
【００２６】
また、本発明に係るプリンタ（メモプリンタ）１０は、文房具又は事務用品の一種として例えばオフィス内で各ユーザの机上に載置可能に構成されている。
【００２７】
上記した本発明に係るプリンタ１０では、外装を形成する筐体２０が前筐体２１と後筐体２２とを開閉自在に突き合せて小型な箱状に形成されている。これにより、筐体２０内に装着する後述のロール紙や粘着剤転写具に対して交換が可能になっている。
【００２８】
また、筐体２０には、ロール状の用紙に印刷情報を印刷した印刷物Ｐｎを排出させるための印刷物排出口２０ａが前筐体２１の天板部２１ａと後筐体２２の天板部２２ａとを突き合せた部位に沿いながら印刷物排出方向と直交する用紙幅方向に沿って開口されている。
【００２９】
また、筐体２０の印刷物排出口２０ａの右方近傍には、印刷物Ｐｎを印刷物排出口２０ａよりも外側に露出させて立て看板形式で表示させる立て看板表示手段が設置されており、この立て看板表示手段は衝立２３及び衝立移動手段２５とからなる。
【００３０】
上記した衝立２３は、筐体２０の印刷物排出口２０ａよりも外側に排出された印刷物Ｐｎを必要に応じて立たせて支える起立位置と、不要のときに収納する収納位置との間を移動可能に設置されている。
【００３１】
具体的には、筐体２０の印刷物排出口２０ａの右方近傍で、且つ、後筐体２２の天板部２２ａ上に露出して取り付けられており、且つ、回動軸２４を中心にして後筐体２２内に設けた衝立移動手段２５により回動可能（開閉可能）になっている。
【００３２】
この際、衝立移動手段２５は、例えば、不図示のモータ及び減速機構を介して後述する制御手段１００（図２）の指令により衝立２３の回動動作（開閉動作）が行われている。
【００３３】
このプリンタ１０では、図１（ａ）に示す如く、印刷物Ｐｎのうちで粘着剤Ｎが転写された印刷物（以下、第１の印刷物と記す）Ｐｎ１を付箋紙として排出する第１使用形態と、図１（ｂ）に示す如く、印刷物Ｐｎのうちで粘着剤が転写されていない印刷物（以下、第２の印刷物と記す）Ｐｎ２を立て看板形式で表示する第２使用形態とを制御手段１００（図２）の指令に従って選択的に取り得るようになっている。
【００３４】
即ち、図１（ａ）に示した第１使用形態では、後述するように、ロール状に巻回した未印刷の用紙（ロール紙）の表面にメモなどの印刷情報を印刷した後に、粘着剤テープを収納した粘着剤転写具を用いて、粘着剤テープに付着した粘着剤（例えば、粘）Ｎを印刷済みの用紙の裏面上で用紙搬送方向に沿い且つ用紙幅方向の一端部側（例えば右端部側）に偏奇させて転写し、カッターにより切断している。
【００３５】
この後、粘着剤Ｎを転写した第１の印刷物Ｐｎ１は、筐体２０の印刷物排出口２０ａから排出されるので、この第１の印刷物Ｐｎ１をユーザの人手により把持して筐体２０から取り出している。
【００３６】
この第１使用形態では、制御手段１００（図２）の指令に従って後筐体２２の天板部２２ａ上に設けた衝立２３が閉じて収納されているので、第１の印刷物Ｐｎ１の取り出しに対して衝立２３が邪魔にならない。
【００３７】
一方、図１（ｂ）に示した第２使用形態では、後述するようにロール状に巻回した未印刷の用紙の表面に立て看板表示したい印刷情報を印刷した後に、カッターにより切断している。そして、粘着剤を転写しない第２の印刷物Ｐｎ２（Ｐｎ）の後端近傍を筐体２０内で印刷物排出口２０ａよりも上流に設置した印刷物排出ローラ対９３（図２）でニップして保持した状態で、第２の印刷物Ｐｎ２（Ｐｎ）の後端近傍以外の部位を印刷物排出口２０ａよりも外側に露出させて衝立２３を介して立て看板形式で表示している。
【００３８】
そして、第２使用形態では、制御手段１００（図２）の指令に従って後筐体２２の天板部２２ａ上に設けた衝立２３が回動軸２４を中心にして衝立移動手段２５により所定の角度まで開いて起立しているので、例えば「不在」と印刷された第２の印刷物Ｐｎ２は衝立２３に寄りかかりながら立て看板形式で表示されるために、プリンタ１０の周囲の人に不在を知らせることができる。
【００３９】
ここで、本発明に係るプリンタ１０の構成について、図２〜図４を用いて説明する。
【００４０】
図２は本発明に係るプリンタの構成を示している。また、図３は図２に示した粘着剤転写具の転写ローラと、用紙搬送ローラと、粘着剤転写用プラテンローラとの位置関係を拡大して示している。図４は図２に示した制御手段と、パソコン及びスマートフォンとの接続状態を拡大して示している。
【００４１】
図２に示す如く、本発明に係るプリンタ１０では、ロール状に巻回した未印刷の用紙（ロール紙）Ｐが筐体２０内の下方に形成したロール紙装填部２０ｂに回転自在に装填されている。
【００４２】
また、ロール紙装填部２０ｂよりも用紙搬送方向の下流には、光反射型の用紙有無検出センサ２６が設置されており、この用紙有無検出センサ２６で用紙Ｐがロール紙装填部２０ｂに装填されているか否かを後述する制御手段１００を介して検出している。
【００４３】
また、筐体２０内でロール紙装填部２０ｂ及び用紙有無検出センサ２６よりも用紙搬送方向の下流には、パソコンＰＣ又はスマートフォンＳＰより入力された印刷情報を未印刷の用紙Ｐに印刷する印刷手段３０と、印刷済みの用紙Ｐを所望の長さに切断する切断手段４０とがこの順に設置されている。
【００４４】
上記した印刷手段３０は、ロール状の用紙Ｐとして感熱紙を適用した場合に、用紙Ｐの搬送方向と直交する用紙幅方向に沿って長尺に形成されたサーマルヘッド３１と、正逆転可能な印刷用プラテンモータ（以下、第１パルスモータと記す）３２と、この第１パルスモータ３２に連結された不図示の第１減速ギア列を介して時計方向に回転すると共に用紙Ｐの幅方向に沿って長尺に形成された印刷用プラテンローラ（以下、第１プラテンローラと記す）３３とからなる。
【００４５】
そして、筐体２０内のロール紙装填部２０ｂに装填された未印刷の用紙（感熱紙）Ｐをサーマルヘッド３１と第１プラテンローラ３３との間で挟持しながら印刷情報を感熱印刷して用紙搬送方向の下流側に向かって搬送している。
【００４６】
この際、サーマルヘッド３１は第１プラテンローラ３３に対して不図示の接離手段を介して接離自在になっており、このサーマルヘッド３１を第１プラテンローラ３３から離間させたときに用紙Ｐの交換が可能になっている。
【００４７】
また、上記した切断手段４０は、印刷手段３０と後述する粘着剤転写具５０との間に設置されており、カッターモータ（以下、第２パルスモータと記す）４１と、この第２パルスモータ４１に連結された不図示の第２減速ギア列を介して移動する可動カッター４２と、この可動カッター４２と対向して固定設置された固定カッター４３と、光反射型のカッターＨＰ検出センサ４４とからなる。
【００４８】
そして、カッターＨＰ検出センサ４４により印刷済みの用紙Ｐがホームポジションに至っていることを制御手段１００を介して検出した後に、一対のカッター４２，４３により印刷済みの用紙Ｐを用紙搬送方向に沿って所望の長さに切断している。
【００４９】
尚、この実施形態では、カッターＨＰ検出センサ４４の検出結果に基づいて印刷済みの用紙Ｐを所望の長さに切断しているが、これに限ることなく、印刷情報に基づいて印刷済みの用紙Ｐを所望の長さに切断することも可能である。
【００５０】
尚更に、この実施形態では、切断手段４０を印刷手段３０よりも下流側に設置したが、これに限ることなく、後述する粘着剤転写具５０の転写ローラ５５よりも下流側に設置しても良い。
【００５１】
また、切断手段４０よりも用紙搬送方向の下流側には、転写具係合部２０ｃが形成されており、この転写具係合部２０ｃは用紙搬送方向に沿い且つ用紙搬送方向と直交する用紙幅方向の一方の端部側（例えば、右端部側）と対応できる位置に形成されている。
【００５２】
そして、筐体２０内の転写具係合部２０ｃ上には、印刷済みの用紙Ｐに粘着剤（図示せず）を転写するための転写ローラ５５を有する粘着剤転写具５０が着脱自在に搭載されている。この際、粘着剤転写具５０の転写ローラ５５は、印刷済みの用紙Ｐと対向し、且つ、用紙搬送方向と直交するように配置されている。
【００５３】
上記した粘着剤転写具５０は、略透明なカセットケース５１の幅寸法が用紙Ｐの幅寸法に対して例えば１／５程度に幅狭く形成され、且つ、カセットケース５１の長さが長く形成されている。
【００５４】
また、カセットケース５１内に回転自在に設けた供給リール５２と巻取リール５３とに粘着剤（図示せず）を付着させた粘着剤テープ５４が巻回して収納されている。
【００５５】
また、カセットケース５１の長手方向の先端部５１ａには先端開口部５１ｂが開口されて、この先端開口部５１ｂから転写ローラ５５が露出している。
【００５６】
そして、カセットケース５１内の供給リール５２と巻取リール５３との間に巻回した粘着剤テープ５４が転写ローラ５５に巻き付けられており、且つ、転写ローラ５５は印刷手段３０により印刷された印刷済みの用紙Ｐの裏面と対向してこの用紙Ｐに接触可能に配置されている。
【００５７】
この際、粘着剤テープ５４は、略透明なベースフィルムの一方の面に、粘着剤として接着能力が比較的弱く何回も剥離できる弱粘着性を有する粘着剤（例えば、糊）が付着されて、この一方の面側が印刷済みの用紙Ｐの裏面と対向し、粘着剤が付着されていないベースフィルムの他方の面側が転写ローラ５５に巻き付いている。
【００５８】
上記により、一方の面側に粘着剤（糊）を付着させた粘着剤テープ５４を他方の面側から転写ローラ５５で押圧しながら粘着剤を印刷済みの用紙Ｐ上に転写することができる。
【００５９】
尚、粘着剤テープ５４に付着させる粘着剤として弱粘着性を有する材料であればいかなる材料でも良い。
【００６０】
更に、供給リール５２には、この同軸上に不図示の摩擦板を介して回転する大径ギア５２ａが設けられ、一方、巻取リール５３には、この同軸上に不図示の逆転防止板を介して回転する小径ギア５３ａが設けられている。
【００６１】
そして、供給リール５２の大径ギア５２ａと、巻取リール５３の小径ギア５３ａとを噛合させているので、転写ローラ５５に巻き付いた粘着剤テープ５４を印刷済みの用紙Ｐに押し当てながら転写ローラ５５を回転させる動作に伴って、供給リール５２から引き出された粘着剤テープ５４が転写ローラ５５を経由して巻取リール５３に巻き取られるようになっている。
【００６２】
また、粘着剤転写具５０の転写ローラ５５の略同一軸線上には、後述する粘着剤転写用プラテンローラ（以下、第２プラテンローラと記す）７４の転写ローラ５５への接離動作に追従して移動し且つ印刷済みの用紙Ｐを介して第２プラテンローラ７４を押圧しながらこの第２プラテンローラ７４と協働して印刷済みの用紙Ｐを後述する印刷物排出手段９０に向けて搬送する用紙搬送ローラ６０が設置されている。
【００６３】
上記した用紙搬送ローラ６０は、図３に拡大して示した如く、印刷済みの用紙Ｐの幅方向に沿って粘着剤転写具５０の転写ローラ５５よりも図示手前側に設置されている。
【００６４】
また、用紙搬送ローラ６０は、不図示の支持台上にスライド部材６１及びバネ６２を介してスライド自在に設けられている。
【００６５】
そして、用紙搬送ローラ６０で第２プラテンローラ７４上の用紙Ｐの幅方向における転写ローラ５５が接離する部位を除いた部位を常時圧接しているので、第２プラテンローラ７４と用紙搬送ローラ６０との間で印刷済みの用紙Ｐを挟持しながらこの用紙Ｐを用紙搬送方向の下流側に向かって搬送可能になっている。
【００６６】
図２に戻り、筐体２０内には、粘着剤転写用プラテンローラ（第２プラテンローラ）７４を転写ローラ５５に接離させる粘着剤転写用プラテンローラ接離手段として、粘着剤転写用プラテンローラ揺動押圧手段７０と偏心部材駆動手段８０とが設置されている。
【００６７】
上記した粘着剤転写用プラテンローラ揺動押圧手段７０では、長尺な揺動アーム７１の一端側を軸支した支点軸７２を揺動支点とし、且つ、一端側と反対の他端側に転写用プラテンモータ（以下、第３パルスモータと記す）７３に連結された不図示の第３減速ギア列を介して第２プラテンローラ（粘着剤転写用プラテンローラ）７４が回転自在に取り付けられている。
【００６８】
この際、上記した第２プラテンローラ７４は、印刷済みの用紙Ｐの幅方向に沿って長尺に形成されており、且つ、この用紙Ｐを挟んで粘着剤転写具５０の転写ローラ５５と用紙搬送ローラ６０とに対向している。
【００６９】
そして、第２プラテンローラ７４を介して転写ローラ５５に押圧力を印加したときに、転写ローラ５５と第２プラテンローラ７４との間で印刷済みの用紙Ｐ及び粘着剤テープ５４を挟持搬送することができるようになっている。
【００７０】
また、揺動アーム７１は、この揺動アーム７１と不図示の固定部との間に圧縮バネ７５が掛止された状態で偏心部材駆動手段８０により揺動可能になっている。
【００７１】
上記した偏心部材駆動手段８０では、偏心カム用モータ（以下、第４ＤＣモータとも記す）８１と、この第４ＤＣモータ８１に連結された不図示の第４減速ギア列を介して回転する回転軸８２と、この回転軸８２に取り付けられて偏心しながら回転し且つ揺動アーム７１に当接する偏心カム８３と、偏心カム８３を取り付けた回転軸８２に固着された半円板状遮蔽板８４と、この半円板状遮蔽板８４と対向して設置された光透過型の偏心カム位置検出センサ８５とからなる。
【００７２】
この際、偏心カム８３は、第２プラテンローラ７４を転写ローラ５５側に押圧するための大径部８３ａと、第２プラテンローラ７４を転写ローラ５５側から離間させるための小径部８３ｂとを有している。
【００７３】
そして、偏心カム８３の大径部８３ａ又は小径部８３ｂがそれぞれ揺動アーム７１に当接したときの回転位置を半円板状遮蔽板８４と偏心カム位置検出センサ８５とで検出している。
【００７４】
尚、偏心部材駆動手段８０において、揺動アーム７１を揺動させて第２プラテンローラ７４を転写ローラ５５側に接離する機構として回転自在な偏心カム８３を用いたが、これに限ることなく、偏心カム８３に代えて回転軸８２を中心にして回転する不図示の偏心ピンを用いても良い。
【００７５】
また、転写ローラ５５及び用紙搬送ローラ６０並びに第２プラテンローラ７４よりも用紙搬送方向の下流側に印刷物排出手段９０の一部を構成する印刷物排出ローラ対９３が回転／停止可能に設置されている。
【００７６】
上記した印刷物排出手段９０は、印刷物Ｐｎ（印刷済みの用紙Ｐ）の排出を検出する光反射型の印刷物排出検出センサ９１と、印刷物排出モータ（以下、第５パルスモータと記す）９２と、この第５パルスモータ９２に連結された不図示の第４減速ギア列を介して回転し、印刷物Ｐｎ１を筐体２０の印刷物排出口２０ａから排出させるための印刷物排出ローラ対９３とからなる。
【００７７】
この際、粘着剤Ｎ｛図１（ａ）｝を転写した第１の印刷物Ｐｎ１｛図１（ａ）｝を排出するときには、この第１の印刷物Ｐｎ１が筐体２０の印刷物排出口２０ａから排出されるまで制御手段１００を介して印刷物排出ローラ対９３を排出方向に回転させている。
【００７８】
一方、粘着剤を転写していない第２の印刷物Ｐｎ２｛図１（ｂ）｝を衝立２３を介して立て看板形式で表示するときには、筐体２０の印刷物排出口２０ａから排出される第２の印刷物Ｐｎ２の後端近傍が印刷物排出ローラ対９３に至ったときに、制御手段１００を介して印刷物排出ローラ対９３の回転を停止させて、第２の印刷物Ｐｎ２の後端近傍を印刷物排出ローラ対９３でニップしたまま保持している。
【００７９】
尚、この実施形態では、転写ローラ５５及び用紙搬送ローラ６０並びに第２プラテンローラ７４よりも用紙搬送方向の下流側に印刷物排出ローラ対９３を設けているので、第２プラテンローラ７４の接離動作に追従する用紙搬送ローラ６０は必要に応じて設置すれば良いものである。
【００８０】
また、筐体２０の印刷物排出口２０ａの近傍には、先に図１（ａ），（ｂ）を用いて説明したように衝立２３が回動可能（開閉可能）に設置されている。
【００８１】
また、筐体２０内の下方部位に、プリンタ１０の設置姿勢を検出する設置姿勢検出器９５が例えばジャイロセンサなどを用いて設置されている。そして、設置姿勢検出器９５によりプリンタ１０が横置きに設置されているか、それとも、縦置きに設置されているかを制御手段１００を介して検出している。
【００８２】
更に、プリンタ１０を全体的に制御する制御手段１００が、筐体２０内の適宜な場所に設置されている。上記した制御手段１００は、衝立移動手段２５と、印刷手段３０と、切断手段４０と、粘着剤転写用プラテンローラ揺動押圧手段７０と、偏心部材駆動手段８０と、印刷物排出手段９０と、各種のセンサ２６，４４，９１，９５とをそれぞれ制御している。
【００８３】
また、制御手段１００は、外部のパソコンＰＣと有線で接続されていると共に、スマートフォンＳＰと筐体２０内の送受信機１０１を介して無線接続されているので、パソコンＰＣやスマートフォンＳＰとの間で用紙Ｐへの印刷情報などが送受信可能になっている。
【００８４】
この際、図４に拡大して示す如く、パソコンＰＣ及びスマートフォンＳＰ内にはそれぞれ画像データアプリケーションＧＡが格納されている。
【００８５】
上記した画像データアプリケーションＧＡは、粘着剤転写用の印刷情報を作成する機能と、粘着剤を転写せずに立て看板用の印刷情報を作成する機能とを選択的に取り得るようになっている。また、画像データアプリケーションＧＡは、後述するように、プリンタ１０の設置姿勢（横置き,縦置き）によって印刷時に文字方向を変更する機能と、文字サイズを可変する機能とを備えている。
【００８６】
従って、制御手段１００は、入力された粘着剤転写用の印刷情報又は立て看板用の印刷情報からどちらの印刷情報であるかを認識して、入力された印刷情報に応じて後述するように衝立移動手段２５と、粘着剤転写用プラテンローラ揺動押圧手段７０と、偏心部材駆動手段８０と、印刷物排出手段９０とを選択的に制御している。
【００８７】
ここで、上記のように構成した本発明に係るプリンタ１０の動作について、先に示した図１〜図４と、新たな図５〜図８とを用いて説明する。
【００８８】
図５（ａ），（ｂ）は本発明に係るプリンタの第１使用形態において、粘着剤を転写した第１の印刷物を示している。図６は本発明に係るプリンタの第１使用形態において、粘着剤を転写した第１の印刷物を作成して、この第１の印刷物を筐体の印刷物排出口から排出する状態を示している。また、図７は本発明に係るプリンタの第２使用形態において、粘着剤を転写していない第２の印刷物を示している。また、図８は本発明に係るプリンタの第２使用形態において、粘着剤を転写せずに第２の印刷物を作成して、この第２の印刷物を筐体の印刷物排出口の近傍に設けた衝立に立て看板形式で表示する状態を示している。
【００８９】
まず、先に図４を用いて説明したように、パソコンＰＣ又はスマートフォンＳＰ内の画像データアプリケーションＧＡによって粘着剤転写用の印刷情報を作成し、この粘着剤転写用の印刷情報に従って印刷手段３０内で未印刷の用紙Ｐに対してサーマルヘッド３１と、時計方向に回転している第１プラテンローラ３３とで挟持搬送しながらサーマルヘッド３１により、図５（ａ）に示す如く未印刷の用紙Ｐ（図２）の一方の面となる表面上にメモなどの印刷情報を印刷すると、第１の印刷物Ｐｎ１の表面Ｐａ上に粘着剤転写用の印刷情報が印刷されることになる。
【００９０】
この後、カッターＨＰ検出センサ４４の検出結果により切断手段４０で印刷済みの用紙Ｐ１を所望の長さに切断する。
【００９１】
ここで、粘着剤転写用の印刷情報から「粘着剤転写有り」の情報を制御手段１００が検知すると、図６に示す如く、制御手段１００の指令により偏心部材駆動手段８０内に設けた第４ＤＣモータ８１の回転を不図示の減速ギア列で減速して回転軸８２を回転させる。
【００９２】
そして、この回転軸８２に取り付けた偏心カム８３の大径部８３ａが粘着剤転写用プラテンローラ揺動押圧手段７０内に設けた揺動アーム７１に当接して、半円板状遮蔽板８４の一端側切欠部を光透過型の偏心カム位置検出センサ８５で検出したら第４ＤＣモータ８１の回転を止める。これに伴って、揺動アーム７１が一端側の支点軸７２（図２）を中心にして時計方向に揺動するので、第２プラテンローラ７４が圧縮バネ７５の付勢力により印刷済みの用紙Ｐ及び粘着剤テープ５４を介して転写ローラ５５に圧接する。
【００９３】
このときに、第２プラテンローラ７４は第３パルスモータ７３により反時計方向に回転しているので、この第２プラテンローラ７４で圧接される転写ローラ５５は時計方向に回転しながら粘着剤テープ５４に付着させた粘着剤Ｎを図５（ｂ）に示す如く第１の印刷物Ｐｎ１の他方の面となる裏面Ｐｂ上で右端部側に偏奇して用紙搬送方向に沿って転写している。
【００９４】
これに伴って、粘着剤が取り除かれた転写済みのテープ（５４）が巻取リール５３側に送られると共に、印刷済みの用紙Ｐは転写ローラ５５及び用紙搬送ローラ６０と第２プラテンローラ７４とによって用紙搬送方向の下流側に設置した印刷物排出手段９０の印刷物排出ローラ対９３に向かって搬送される。
【００９５】
ここで、本発明に係るプリンタ１０の第１使用形態において、制御手段１００の指令により印刷物排出ローラ対９３は、粘着剤が転写された第１の印刷物Ｐｎ１の後端が筐体２０の印刷物排出口２０ａから排紙されるまで回転し続けるので、ユーザは排出された第１の印刷物Ｐｎ１を人手で把持して取り出している。
【００９６】
また、第１使用形態では、制御手段１００が粘着剤転写用の印刷情報から「粘着剤転写有り」の情報を検知したときに、制御手段１００は筐体２０の印刷物排出口２０ａの近傍に設置した衝立２３を閉じ方向に制御している。これにより、衝立２３が不要な第１使用形態では、衝立２３を邪魔にならないように収納できる。
【００９７】
次に、先に図４を用いて説明したように、パソコンＰＣ又はスマートフォンＳＰ内の画像データアプリケーションＧＡによって立て看板用の印刷情報を作成し、この立て看板用の印刷情報に従って印刷手段３０内で図７に示す如く未印刷の用紙Ｐ（図２）の表面上に立て看板表示したい情報（例えば、「不在」情報）を印刷すると、第２の印刷物Ｐｎ２の表面Ｐａ上に立て看板用の印刷情報が印刷されることになる。
【００９８】
この後、カッターＨＰ検出センサ４４の検出結果により切断手段４０で印刷済みの用紙Ｐを所望の長さに切断する。
【００９９】
ここで、立て看板用の印刷情報から「粘着剤転写無し」の情報を制御手段１００が検知すると、図８に示す如く、偏心部材駆動手段８０に対して偏心カム８３の大径部８３ａが揺動アーム７１に当接した位置を基準位置に設定した場合に、制御手段１００の指令によりこの基準位置に対して偏心カム８３を略１８０°程度時計方向に回転させる。
【０１００】
そして、偏心カム８３の小径部８３ｂが揺動アーム７１に当接して、半円板状遮蔽板８４の他端側切欠部を光透過型の偏心カム位置検出センサ８５で検出したら第４ＤＣモータ８１の回転を止める。これに伴って、揺動アーム７１が一端側の支点軸７２（図２）を中心にして基準位置よりも反時計方向に大幅に揺動するので、第２プラテンローラ７４は転写ローラ５５側から離間する。
【０１０１】
このときに、第２プラテンローラ７４が転写ローラ５５側から離間しているために粘着剤テープ５４を巻取リール５３側に送ることができないものの、印刷済みの用紙Ｐは用紙搬送ローラ６０と第２プラテンローラ７４とによって印刷物排出ローラ９３に向けて搬送される。
【０１０２】
ここで、本発明に係るプリンタ１０の第２使用形態において、制御手段１００の指令により印刷物排出ローラ対９３を回転させるが、粘着剤が転写されていない第２の印刷物Ｐｎ２の後端近傍が印刷物排出ローラ対９３に至ったときに、この印刷物排出ローラ対９３の回転を停止して、第２の印刷物Ｐｎ２の後端近傍をニップしたまま保持する。
【０１０３】
また、第２使用形態では、制御手段１００が立て看板用の印刷情報から「粘着剤転写無し」の情報を検知したときに、制御手段１００は筐体２０の印刷物排出口２０ａの近傍に設置した衝立２３を衝立移動手段２５を介して回動軸２４を中心にして所定の角度まで開くように制御することで、衝立２３を起立させることができる。
【０１０４】
これにより、印刷物排出ローラ対９３により第２の印刷物Ｐｎ２の後端近傍をニップされている部位よりも先端側を印刷物排出口２０ａよりも外側に露出させている。そして、露出された第２の印刷物Ｐｎ２は、所定の角度まで回動して起立した衝立２３に寄りかかって立て看板形式で表示されるので、プリンタ１０の周囲の人に第２の印刷物Ｐｎ２の表示内容（例えば、「不在」情報）を知らせることができるので、使用勝手の良いプリンタ１０を提供することができる。
【０１０５】
上記から本発明に係るプリンタ１０では、印刷情報に基づいて粘着剤を転写した印刷済みの用紙を付箋紙として作成する使用形態と、粘着剤を転写しない印刷物を立て看板形式で表示する使用形態とを制御手段１００を介して選択できるので、プリンタ１０の多機能化を図ることができる。
【０１０６】
次に、本発明に係るプリンタ１０を横置きした場合と縦置きした場合とについて、図９を用いて説明する。
【０１０７】
図９は本発明に係るプリンタの設置姿勢（横置き，縦置き）に応じて印刷時に文字方向を変えた状態を示しており、（ａ）は横置きの場合を示し、（ｂ）は横置きの場合を示している。
【０１０８】
図９（ａ），（ｂ）に示す如く、本発明に係るプリンタ１０を横置き姿勢と、縦置き姿勢とを取り得るようにする場合には、筐体２０の印刷物排出口２０ａの近傍に回動可能（開閉可能）に設置した衝立２３に対して一部改善を施している。
【０１０９】
この改善策の場合に、衝立２３は、用紙寄りかかり面２３ａの両側に断面がコ字状の用紙ガイド片２３ｂ，２３ｂを印刷物排出方向と平行に形成することで、とくに縦置きにしたときに印刷物Ｐｎの前端側が倒れて用紙寄りかかり面２３ａから離れるのを防止することができる。
【０１１０】
ここで、図９（ａ）に示す如く、筐体２０内に設けた設置姿勢検出器９５の検出情報から制御手段１００がプリンタ１０の横置き姿勢を検出したときに、制御手段１００はパソコンＰＣ又はスマートフォンＳＰに横置き姿勢情報を知らせる。
【０１１１】
これを受けて、パソコンＰＣ又はスマートフォンＳＰは、内部の画像データアプリケーションＧＡ（図４）により粘着剤を転写しない第２の印刷物Ｐｎ２（Ｐｎ）の印刷情報が横置き姿勢に対して見やすい方向となる横書きで印刷できるように印刷情報を作成している。
【０１１２】
更に、プリンタ１０が横置き姿勢であれば、画像データアプリケーションＧＡ（図４）によりフォントサイズ（文字サイズ）を例えば２４Ｐに設定している。
【０１１３】
これにより、先に説明した第２使用形態において、粘着剤を転写せずに横書きで印刷された第２の印刷物Ｐｎ２を横置き姿勢の筐体２０の印刷物排出口２０ａから排出して、この第２の印刷物Ｐｎ２を衝立移動手段２５を介して所定の角度まで回動した衝立２３に支持して立て看板形式で表示させている。これにより、第２の印刷物Ｐｎ２を横置き姿勢で見やすく表示できる。
【０１１４】
また、図９（ｂ）に示す如く、筐体２０内に設けた設置姿勢検出器９５の検出情報から制御手段１００がプリンタ１０の縦置き姿勢を検出したときに、制御手段１００はパソコンＰＣ又はスマートフォンＳＰに縦置き姿勢情報を知らせる。
【０１１５】
これを受けて、パソコンＰＣ又はスマートフォンＳＰは、内部の画像データアプリケーションＧＡ（図４）により粘着剤を転写しない第３の印刷物Ｐｎ３（Ｐｎ）の印刷情報が縦置き姿勢に対して見やすい方向となる縦書き文字で印刷できるように印刷情報を作成している。
【０１１６】
更に、プリンタ１０が縦置き姿勢であれば、画像データアプリケーションＧＡ（図４）によりフォントサイズ（文字サイズ）を横置きの場合よりも大きな例えば３２Ｐに設定している。
【０１１７】
これにより、先に説明した第２使用形態において、粘着剤を転写せずに縦書きで印刷された第３の印刷物Ｐｎ３を縦置き姿勢の筐体２０の印刷物排出口２０ａから排出して、この第３の印刷物Ｐｎ３を衝立移動手段２５を介して所定の角度まで回動した衝立２３に支持して立て看板形式で表示させている。これにより、第３の印刷物Ｐｎ３を縦置き姿勢でも見やすく表示できる。
【０１１８】
以上詳述した本発明に係るプリンタ１０では、印刷済みの用紙Ｐに粘着剤Ｎを転写して付箋紙などの第１の印刷物Ｐｎ１を作成する第１使用形態と、印刷済みの用紙Ｐに粘着剤を転写せずに第２の印刷物Ｐｎ２を作成してこの第２の印刷物Ｐｎ２を立て看板形式で表示する第２使用形態とを選択的に取り得ることができるように構成したが、これに限ることなく、第２の印刷物Ｐｎ２を立て看板形式で表示する第２使用形態のみに対応可能に構成すれば安価な小型プリンタを提供できる。
【０１１９】
この小型プリンタの場合には、本発明に係るプリンタ１０の構成から粘着剤転写具５０，用紙搬送ローラ６０，粘着剤転写用プラテンローラ揺動押圧手段７０，偏心部材駆動手段８０を取り外して構成すれば良い。即ち、小型プリンタの筐体２０内に印刷手段３０と、切断手段４０と、印刷物排出手段９０とを設け、且つ、筐体２０の印刷物排出口２０ａの近傍に立て看板表示手段２３，２５を設置すれば、第２の印刷物Ｐｎ２を立て看板形式で表示できる。
【０１２０】
尚、本実施形態では立て看板形式で印刷物を表示する場合に、切断手段４０によりロール紙を切断してから印刷済みのロール紙の先端側を衝立２３を介して立たせているが、切断手段４０によりロール紙を切断しないで印刷済みのロール紙の先端側を衝立２３を介して立たせるようにしても良い。この場合、操作者が衝立２３に支えられているロール紙を破ったり、カッターなどでロール紙を切断することにより取り出すことになる。
【符号の説明】
【０１２１】
１０…プリンタ（メモプリンタ）、
２０…筐体、２０ａ…印刷物排出口、２０ｂ…ロール紙装填部、
２０ｃ…転写具係合部、
２１…前筐体、２１ａ…天板部、２２…後筐体、２２ａ…天板部、
２３…衝立、２３ａ…用紙寄りかかり面、２３ｂ…用紙ガイド片、２４…回動軸、
２５…衝立移動手段、２６…用紙有無検出センサ、
３０…印刷手段、３１…サーマルヘッド、
３２…印刷用プラテンモータ（第１パルスモータ）、
３３…印刷用プラテンローラ（第１プラテンローラ）、
４０…切断手段、４１…カッターモータ（第２パルスモータ）、
４２…可動カッター、４３…固定カッター、４４…カッターＨＰ検出センサ、
５０…粘着剤転写具、
５１…カセットケース、５１ａ…先端部、５１ｂ…先端開口部、
５２…供給リール、５３…巻取リール、
５４…粘着剤テープ、５５…転写ローラ、６０…用紙搬送ローラ、
７０…粘着剤転写用プラテンローラ揺動押圧手段、
７１…揺動アーム、７２…支点軸、７３…転写用プラテンモータ（第３パルスモータ）、
７４…粘着剤転写用プラテンローラ（第２プラテンローラ）、７５…圧縮バネ、
８０…偏心部材駆動手段、
８１…偏心カム用モータ（第４ＤＣモータ）、８２…回転軸、
８３…偏心カム、８３ａ…大径部、８３ｂ…小径部、
８４…半円板状遮蔽板、８５…偏心カム位置検出センサ、
９０…印刷物排出手段、９１…印刷物排出検出センサ、
９２…印刷物排出モータ（第５パルスモータ）、
９３…印刷物排出ローラ対、９５…設置姿勢検出器、
１００…制御手段、１０１…送受信機、
ＧＡ…画像データアプリケーション、ＰＣ…パソコン、ＳＰ…スマートフォン、
Ｐ…用紙、Ｐａ…一方の面（表面）、Ｐｂ…他方の面（裏面）、
Ｐｎ（Ｐｎ１〜Ｐｎ３）…印刷物、Ｎ…粘着剤。
【図１】
2015151219.tif 000003
【図２】
2015151219.tif 000004
【図３】
2015151219.tif 000005
【図４】
2015151219.tif 000006
【図５】
2015151219.tif 000007
【図６】
2015151219.tif 000008
【図７】
2015151219.tif 000009
【図８】
2015151219.tif 000010
【図９】
2015151219.tif 000011